(57)【要約】【課題】空気清浄機周辺の空気中の汚れは測定できるが、人周辺の空気の汚れは正確に測定できない従来の空気清浄機を解決するものであり、人周辺の空気中の汚れを正確に表示し、空気を効率よく浄化できる空気清浄機を提供することを目的としている。【解決手段】人の近くに空気中の汚れを測定する汚れセンサーなどのほこりセンサー６を設け、その測定結果を表示し、測定結果に応じて制御することで、人周辺の空気中の汚れを正確に表示し、効率よく空気を浄化することとなる。【選択図】図１
2008086926.tif 000002
【特許請求の範囲】
【請求項１】
空気を吸い込む吸気口と、吸い込んだ空気を浄化する浄化手段と、この浄化手段に通風する送風手段と、空気を吹き出す排気口と、外部からの信号を受信する受信部を備えた空気清浄機において、空気中の汚れを測定する汚れセンサーを備え、その測定結果を送信する送信部を備え、前記汚れセンサーにより人周辺の空気中の汚れを測定し、測定結果に応答して空気の汚れを表示する表示手段を設けたことを特徴とした空気清浄機。
【請求項２】
空気中の汚れを測定する汚れセンサーをリモコンに備えたことを特徴とする請求項１に記載の空気清浄機。
【請求項３】
リモコンの汚れセンサーにより測定した結果を表示する表示部をリモコンに備えたことを特徴とする請求項２に記載の空気清浄機。
【請求項４】
リモコンの汚れセンサーにより測定した結果を表示する表示部を空気清浄機本体に備えたことを特徴とする請求項２に記載の空気清浄機。
【請求項５】
空気清浄機本体に、本体の汚れセンサーの測定結果とリモコンの汚れセンサーの測定結果を別々に表示することを特徴とした請求項３または４に記載の空気清浄機。
【請求項６】
リモコンの汚れセンサーの測定結果に応じて、空気清浄機の運転を自動制御することを特徴とした請求項１に記載の空気清浄機。
【請求項７】
空気清浄機本体汚れセンサーの測定結果に応じて、空気清浄機の運転を自動制御することを特徴とした請求項１に記載の空気清浄機。
【請求項８】
自動制御は、本体側とリモコン側どちらかのセンサー測定結果に応じて自動制御するかを使用者が設定できることを特徴とした請求項６または７に記載の空気清浄機。
【請求項９】
汚れセンサーの感度を使用者が設定できることを特徴とする請求項１に記載の空気清浄機。
【請求項１０】
空気清浄機本体の汚れセンサーの感度を使用者が設定できることを特徴とする請求項１に記載の空気清浄機。
【請求項１１】
リモコン表示部での表示は使用者が消灯または点灯させるように設定できることを特徴とする請求項２に記載の空気清浄機。
【請求項１２】
空気清浄機本体表示部での表示は使用者が消灯または点灯させるように設定できることを特徴とする請求項４に記載の空気清浄機。
【発明の詳細な説明】
【技術分野】
【０００１】
本発明は、室内空間に浮遊する埃や煙草などの汚染物質を含んだ汚染空気を吸い込んで浄化し、浄化後の空気を室内に吹きだす機能を備えた空気洗浄機に関する。
【背景技術】
【０００２】
従来、この種の空気清浄機は下記に記載されたものが知られている。以下、その空気清浄機について図を参照しながら説明する。
【０００３】
図６に示すように空気清浄機本体１０１には空気を吸い込む吸気口１０２と、空気を清浄するフィルター１０３と、フィルター１０３に通風するファン１０４と、このファンを運転制御する制御部１０５と、排気口１０６と、空気の汚れを検出する汚れセンサー１０７を備え、汚れセンサー１０７が汚れを検出すると、表示部１０８に汚れを表示し、制御部１０５が風力を変化させ、汚れに応じたの空気の浄化運転を行っている（例えば、特許文献１参照）。
【特許文献１】特開２０００‐２８１５８４号公報
【発明の開示】
【発明が解決しようとする課題】
【０００４】
このような従来の空気清浄機では、汚れセンサーは空気清浄機本体に備えられており、空気清浄機周辺の空気の汚れは測定できるが、人周辺の空気の正確な汚れはわからず、人周辺の正確な空気の汚れ度合いの表示が要求されている。
【０００５】
本発明は、このような従来の課題を解決するものであり、人周辺に設けられた空気中の汚れ測定手段により、汚れを測定し表示することで、人周辺での空気の汚れ度合いを知らせることを目的としている。
【課題を解決するための手段】
【０００６】
本発明の空気清浄機は上記目的を達成するために、空気を吸い込む吸気口と、吸い込んだ空気を浄化する浄化手段と、この浄化手段に通風する送風手段と、空気を吹き出す排気口と、外部からの信号を受信する受信部を備えた空気清浄機において、空気中の汚れを測定する汚れセンサーを備え、その測定結果を送信する送信部を備え、前記汚れセンサーにより人周辺の空気中の汚れを測定し、測定結果に応答して空気の汚れを表示するものである。
【０００７】
この手段により、人周辺の空気の汚れを正確に表示できる空気清浄機が得られる。
【０００８】
また、本発明の空気清浄機は上記目的を達成するために、空気中の汚れを測定する汚れセンサーをリモコンに備えたものである。
【０００９】
この手段により、リモコンは通常、人の周辺にあり、人周辺での、空気清浄機本体から離れた場所でも空気の汚れ度合いがわかる空気清浄機が得られる。
【００１０】
また、本発明の空気清浄機は上記目的を達成するために、リモコンの汚れセンサーにより測定した結果を表示する表示部を空気清浄機本体に備えたものである。
【００１１】
この手段により、空気清浄機本体から離れた場所でも空気の汚れ度合いがわかる空気清浄機が得られる。
【００１２】
また、本発明の空気清浄機は上記目的を達成するために、空気清浄機本体に、本体の汚れセンサーの測定結果とリモコンの汚れセンサーの測定結果を別々に表示するものである。
【００１３】
この手段により、空気清浄機本体から離れた場所でも空気の汚れ度合いがわかる空気清浄機が得られる。
【００１４】
また、本発明の空気清浄機は上記目的を達成するために、表示部では点灯または点滅する発光素子を１つ以上使うことを特徴としたものである。
【００１５】
この手段により、空気の汚れ度合いが一目でわかる空気清浄機が得られる。
【００１６】
また、本発明の空気清浄機は上記目的を達成するために、リモコンの汚れセンサーの測定結果に応じて、空気清浄機の運転を自動制御するものである。
【００１７】
この手段により、空気清浄機本体から離れた場所の空気の汚れ度合いに応じた洗浄をすることができる空気清浄機が得られる。
【００１８】
また、本発明の空気清浄機は上記目的を達成するために、空気清浄機本体汚れセンサーの測定結果に応じて、空気清浄機の運転を自動制御するものである。
【００１９】
この手段により、空気清浄機本体周辺の空気の汚れ度合いに応じた洗浄をすることができる空気清浄機が得られる。
【００２０】
また、本発明の空気清浄機は上記目的を達成するために、本体側とリモコン側どちらかのセンサー測定結果に応じて自動制御するかを使用者が設定できるものである。
【００２１】
この手段により、使用者の滞在空間の空気を正確に清浄することができる空気清浄機が得られる。
【００２２】
また、本発明の空気清浄機は上記目的を達成するために、リモコンの汚れセンサーの感度を使用者が設定できることである。
【００２３】
この手段により、空気清浄機本体から離れた場所の空気の汚れ度合いに応じた洗浄をすることができる空気清浄機が得られる。
【００２４】
また、本発明の空気清浄機は上記目的を達成するために、空気清浄機本体の汚れセンサーの感度を使用者が設定できるものである。
【００２５】
この手段により、空気清浄機本体から離れた場所の空気の汚れ度合いに応じた洗浄をすることができる空気清浄機が得られる。
【００２６】
また、本発明の空気清浄機は上記目的を達成するために、リモコン表示部での表示は使用者が電源ＯＦＦ時に消灯または点灯させるように設定できるものである。
【００２７】
この手段により、表示が不要時に省エネすることができる空気清浄機が得られる。
【００２８】
また、本発明の空気清浄機は上記目的を達成するために、空気清浄機本体表示部での表示は使用者が電源ＯＦＦ時に消灯または点灯させるように設定できるものである。
【００２９】
この手段により、表示が不要時に省エネすることができる空気清浄機が得られる。
【発明の効果】
【００３０】
本発明によれば、人周辺の空気の汚れを正確に使用者に知らせ、効率よく空気の浄化ができるという効果のある空気清浄機を提供できる。
【発明を実施するための最良の形態】
【００３１】
本発明の請求項１記載の発明は、空気を吸い込む吸気口と、吸い込んだ空気を浄化する浄化手段と、この浄化手段に通風する送風手段と、空気を吹き出す排気口と、外部からの信号を受信する受信部を備えた空気清浄機において、空気中の汚れを測定する汚れセンサーを備え、その測定結果を送信する送信部を備え、前記汚れセンサーにより人周辺の空気中の汚れを測定し、測定結果に応答して空気の汚れを表示することにより、人周辺の空気の汚れを正確に使用者に知らせることができるという作用を有する。
【００３２】
また、空気中の汚れを測定する汚れセンサーをリモコンに備えたものであり、リモコンは人周辺にあり、人周辺の空気の汚れがわかるという作用を有する。
【００３３】
また、リモコンの汚れセンサーにより測定した結果を表示する表示部を空気清浄機本体に備えたものであり、人周辺の空気の汚れがわかるという作用を有する。
【００３４】
また、本発明の空気清浄機は上記目的を達成するために、空気清浄機本体に、本体の汚れセンサーの測定結果とリモコンの汚れセンサーの測定結果を別々に表示するものであり、人周辺の空気の汚れがわかるという作用を有する。
【００３５】
また、リモコンの汚れセンサーの測定結果に応じて、空気清浄機の運転を自動制御するものであり、人周辺の空気の汚れ度合いに応じた浄化をするという作用を有する。
【００３６】
また、空気清浄機本体汚れセンサーの測定結果に応じて、空気清浄機の運転を自動制御するものであり、空気清浄機本体周辺の空気の汚れに応じた浄化をするという作用を有する。
【００３７】
また、本体側とリモコン側どちらかのセンサー測定結果に応じて自動制御するかを使用者が設定できるものであり、人周辺の空気を正確に清浄することができるという作用を有する。
【００３８】
また、リモコンの汚れセンサーの感度を使用者が設定できるものであり、人周辺の空気の汚れ度合いに応じた洗浄をすることができるという作用を有する。
【００３９】
また、空気清浄機本体の汚れセンサーの感度を使用者が設定できるものであり、人周辺の空気の汚れ度合いに応じた洗浄をすることができるという作用を有する。
【００４０】
また、空気清浄機本体の汚れセンサーの感度を使用者が設定できるものであり、人周辺の空気の汚れ度合いに応じた洗浄をするという作用を有する。
【００４１】
また、リモコン表示部での表示は使用者が電源ＯＦＦ時に消灯または点灯させるように設定できるものであり、表示が不要時に省エネすることができるという作用を有する。
【００４２】
また、空気清浄機本体表示部での表示は使用者が電源ＯＦＦ時に消灯または点灯させるように設定できるものであり、表示が不要時に省エネすることができるという作用を有する。
【００４３】
以下、本発明の実施の形態について図面を参照しながら説明する。
【００４４】
（実施形態１）
図１は本発明の実施の形態における空気清浄機の構成を示す図である。図１において空気清浄機本体１に室内の空気を吸い込む、吸気口２を設け、この吸気口より吸い込まれた空気を浄化する浄化手段としてフィルター３を設け、このフィルター３に通風するための手段としてファン４を設け、清浄した空気を吹き出すための排気口５を設け、空気の汚れ度合いを測定する手段としてほこりセンサー６を設け、ほこりセンサー６の測定結果を表示する本体側表示部７を設け、ほこりセンサー６の測定結果に応答して本体側表示部７の表示を制御する本体側マイコン８を設け、リモコンからの赤外線信号を受信する受信部９を設け、受信部より受信した赤外線信号を表示するリモコン測定結果表示部１０を設け、ほこりセンサー６の感度を調節する感度調節スイッチ１１を設け、本体側表示部７の表示をＯＮ又は、ＯＦＦするスイッチ１２を設け構成する。
【００４５】
図２は人周辺の空気の汚れを測定する手段として、リモコン１３を設け、リモコンに空気の汚れを測定する手段としてガスセンサー１４を設け、測定結果を表示するリモコン側表示部１５を設け、ガスセンサー１４の結果に応答してリモコン側表示部１５の表示を制御するリモコン側マイコン１６を設け、測定結果を空気清浄機に送信する手段として赤外線センサー１７を設け、ガスセンサー１４の感度を調節する感度調節スイッチ１８を設け、リモコン側表示部１５の表示をＯＮ又は、ＯＦＦするスイッチ１９を設け構成する。リモコン１３は操作の関係から、通常、人周辺にあり、リモコン１３にガスセンサー１４を設けることで、人周辺の汚れを測定できることとなる。
【００４６】
リモコンの制御回路を図３に示す。リモコン側マイコン１６にガスセンサー１４、赤外線センサー１７、リモコン側表示部１５が接続されている。リモコン１３に設けられたガスセンサー１４により空気の汚れを測定すると、その測定結果をリモコン側マイコン１６に送信し、リモコン側マイコン１６は測定結果をもとに、空気が汚れているかどうかをリモコン側表示部１５に表示する。
【００４７】
また、リモコン１３のガスセンサー１４の測定結果をもとにリモコン側マイコン１６が赤外線センサー１７を制御する。例えば、リモコン側マイコン１６により空気が汚れたと判断しリモコン側表示部１５の表示を切り替える度に、リモコン側表示部１５の表示結果を赤外線センサー１７により空気清浄機本体１の赤外線センサーの受信部９に送るように制御する。
【００４８】
次に、空気清浄機本体１の制御回路を図４に示す。本体側マイコン８にほこりセンサー６、本体側表示部７、受信部９が接続されている。空気清浄機本体１に設けられたほこりセンサー６により空気の汚れを測定すると、その測定結果を本体側マイコン８に送信し、本体側マイコン８は測定結果をもとに、空気が汚れているかどうかを本体側表示部７に表示する。
【００４９】
また、本体側マイコン８は赤外線センサーの受信部９に受けた信号をもとに、リモコン測定結果表示部１０に表示するように制御する。
【００５０】
なお、実施の形態１では空気清浄機本体１の汚れセンサーをほこりセンサー６としているが、空気の汚れを効率よく正確に測定するものであれば、ほこりセンサー６でなくてもよい。
【００５１】
なお、実施の形態１ではリモコン１３の汚れセンサーをガスセンサー１４としているが、空気の汚れを効率よく正確に測定するものであれば、ほこりセンサー６でなくてもよい。
【００５２】
このような動作を行うことで、リモコンは人の周辺に置くことが多いので、人周辺の空気の汚れを正確に知らせることができるとともに、空気を効率良く浄化することができる。
【００５３】
また、空気清浄機本体１に備えられた、感度調節スイッチ１１により、使用者がほこりセンサー６の感度調節可能となっている。例えば、低感度又は、中感度又は、高感度の中から使用者が選択することが可能となっている。
【００５４】
また、リモコン１３に備えられた、感度調節スイッチ１８により、使用者がガスセンサー１４の感度調節可能となっている。例えば、低感度又は、中感度又は、高感度の中から使用者が選択することが可能となっている。
【００５５】
なお、実施の形態意１ではほこりセンサー６とガスセンサー１４の感度を低感度、中感度、高感度としているが、感度に違いがあれば感度の分別は２つ以上でもよい。
【００５６】
また、空気清浄機本体１のほこりセンサー６の感度調節スイッチ１１とリモコン１３のガスセンサー１４の感度調節スイッチ１１は別々に設定することが可能となっている。
【００５７】
このような動作を行うことで、必要に応じた感度で清浄することができるとともに、空気を効率良く浄化することができる。
【００５８】
また、空気清浄機本体１の本体側表示部７の表示をＯＮ・ＯＦＦスイッチ１２を設けており、使用者が表示をＯＮまたは、ＯＦＦに設定可能である。
【００５９】
また、リモコンのリモコン側表示部１５の表示をＯＮ・ＯＦＦスイッチ１９を設けており、使用者が表示をＯＮまたは、ＯＦＦに設定可能である。
【００６０】
この動作を行うことで、睡眠中に光によって使用者に不快感を与えることなく、また、表示を必要としないとき省エネすることができる。
【００６１】
（実施の形態２）
本実施の形態は前記実施の形態１と制御方法が異なるのみであり、同一構成のものは同一番号を付して詳しい説明は省略する。図５は本発明の実施の形態における空気清浄機の自動運転の制御回路図である。空気清浄機本体１のほこりセンサー６の測定結果をもとに本体側マイコン８により汚れ度を判別し、その汚れに対応させてファン４の風量を変化させるように制御する。
【００６２】
また、赤外線センサーの受信部９より受信した信号をもとに、本体側マイコン８により汚れを判別し、その汚れに対応させてファン４の風量を変化させるように制御する。
【００６３】
また、空気清浄機本体１に優先センサー切り替えスイッチを備えており、運転自動制御を行うときに、空気清浄機本体１のほこりセンサー６の汚れに合わせて自動制御するかリモコン１３のガスセンサー１４の汚れに合わせて自動制御するかを使用者が選択することが可能となっている。
【００６４】
このような動作を行うことで、使用者が必要とする空間の空気を正確に清浄することができるとともに、効率よく空気を清浄することができる。
【産業上の利用可能性】
【００６５】
本発明にかかる空気清浄機は、空気調和機でも同様の手段を用いることで、効率の良い清浄を行うことができる。
【図面の簡単な説明】
【００６６】
【図１】本発明の実施形態１の空気清浄機の構成を示す斜影図
【図２】本発明の実施形態１のリモコンの構成を示す斜影図
【図３】本発明の実施形態１のリモコンの制御回路図
【図４】本発明の実施形態１の空気清浄機本体の制御回路図
【図５】本発明の実施形態２の制御回路図
【図６】従来の空気清浄機の斜影図
【符号の説明】
【００６７】
１      空気清浄機本体
２      吸気口
３      フィルター
４      ファン
５      排気口
６      ほこりセンサー
７      本体側表示部
８      本体側マイコン
９      受信部
１０    リモコン測定結果表示部
１１    感度調節スイッチ
１２    ＯＮ・ＯＦＦスイッチ
１３    リモコン
１４    ガスセンサー
１５    リモコン側表示部
１６    リモコン側マイコン
１７    赤外線センサー
１８    感度調節スイッチ
１９    ＯＮ・ＯＦＦスイッチ
１０１  空気清浄機本体
１０２  吸気口
１０３  フィルター
１０４  ファン
１０５  制御部
１０６  排気口
１０７  汚れセンサー
【図１】
2008086926.tif 000003
【図２】
2008086926.tif 000004
【図３】
2008086926.tif 000005
【図４】
2008086926.tif 000006
【図５】
2008086926.tif 000007
【図６】
2008086926.tif 000008